(57)【要約】【課題】本発明が解決しようとする課題は、凹凸のある変形容器であってもラベル種類に関係なく、各種ラベル或いは紙や写真等の印刷物でも装着する事を可能にした容器を提供することであり、意匠性や機能性に優れたラベルサンドカップを提供することである。【解決手段】内容器１と外容器２との間にラベル３を挟む構造であって、前記内容器の底で外容器側に突出した脚を設けて前記脚でラベルの浮き上がりを阻止するとともに前記外容器の底と内容器の底で前記ラベルを保持する事を特徴とする特徴とするラベルサンドカップ。【選択図】  図１
2006062751.tif 000002
【特許請求の範囲】
【請求項１】
上端面が開放している合成樹脂製の内容器と、片面若しくは両面に印刷されたラベルと、上端面が開放しており前記内容器の外径より内径が大きい合成樹脂製の外容器と、前記内容器と前記外容器とを溶着或いは嵌合によって二重構造とし、前記内容器と前記外容器の間に前記ラベルを挟んだラベルサンドカップにおいて、前記内容器の底で外容器側に突出した脚を設けて前記脚でラベルの浮き上がりを阻止するとともに前記外容器の底と内容器の底で前記ラベルを保持する事を特徴とするラベルサンドカップ。
【請求項２】
内容器の底と外容器の底とにそれぞれ第１スタック棚及び第２スタック棚を設け、第１スタック棚と第２スタック棚とを当接させてスタッキングする事を特徴とする請求項１記載のラベルサンドカップ。
【発明の詳細な説明】
【技術分野】
【０００１】
本発明は、食品等を収納する容器であるラベルサンドカップに関するものである。
【背景技術】
【０００２】
従来から食品等を収容する容器本体に、その被収納物を表示する為、容器本体に直接印刷を施したり、印刷を施したラベルシール等の加飾用ラベルを使用したりして、識別や加飾の効果を得る事がある。そして、前記加飾用ラベルは、紙、合成紙、プラスチックフイルム等の非熱収縮性基材に粘着剤、接着剤を塗布したラベル、又は、熱収縮性フイルムを基材とした熱収縮ラベルが使用されている。しかし、容器に凹凸のある形状があれば、容器に直接印刷する事は出来ない。また、前記熱収縮性フイルムを外嵌装着した場合、シワや弛みが生じ、外観を損ねる為、形状に制約が出来てしまう。
【０００３】
しかしながら、特許文献１において容器形状に凹凸があっても熱収縮性ラベルをシワや弛みがなく装着出来る容器が開示されているが、ラベル種類を限定している為、意匠性や機能性を兼備する事が出来ない。
【０００４】
また、特許文献２において内側容器と外側容器の間に印刷物を装填しているが、装填だけでは印刷物がシワになったり歪んだりしやすくなるので、同様に外観を損ねる。
【０００５】
また、流通過程においては、容器の梱包形態を小さくし、輸送コストの低減や保管スペースの省スペース化をする為にスタッキングと呼ばれる技術で積み重ね輸送する事が一般的に行われている。スタッキングとは、「積み重ねる」とか「積み重ねが出来る」事を意味し、ただ重ねられる形状だと、上下にくっついてしまい簡単にはずれなくなってしまったり、積み重ね時の安定感が無かったりし、製品の変形防止や後工程の内容物充填加工工程で容易に自動充填を行う為に使われる技術であり、一端が開口した有底容器ではほとんどこの技術が採用されている。
【０００６】
【特許文献１】特開平４−３３８１８号公報
【特許文献２】特開平８−３０１２６２号公報
【発明の開示】
【発明が解決しようとする課題】
【０００７】
本発明が解決しようとする課題は、凹凸のある変形容器であってもラベル種類に関係なく、各種ラベル或いは紙や写真等の印刷物でも装着する事を可能にした容器を提供することであり、意匠性や機能性に優れたラベルサンドカップを提供することである。
【課題を解決するための手段】
【０００８】
上記課題を解決する為に、上端面が開放している合成樹脂製の内容器と、片面若しくは両面に印刷されたラベルと、上端面が開放しており前記内容器の外径より内径が大きい合成樹脂製の外容器と、前記内容器と前記外容器とを溶着或いは嵌合によって二重構造とし、前記内容器と前記外容器の間に前記ラベルを挟んだラベルサンドカップにおいて、前記内容器の底で外容器側に突出した脚を設けて前記脚でラベルの浮き上がりを阻止するとともに前記外容器の底と内容器の底で前記ラベルを保持する構造とする。
【０００９】
また、内容器の底と外容器の底とにそれぞれ第１スタック棚及び第２スタック棚を設け、第１スタック棚と第２スタック棚とを当接させてスタッキングする事を可能にした。
【発明の効果】
【００１０】
上端面が開放している合成樹脂製の内容器と、片面若しくは両面に印刷されたラベルと、上端面が開放しており前記内容器の外径より内径が大きい合成樹脂製の外容器と、前記内容器と前記外容器とを溶着或いは嵌合によって二重構造とし、前記内容器と前記外容器の間に前記ラベルを挟んだラベルサンドカップにおいて、前記内容器の底で外容器側に突出した脚を設けて前記脚でラベルの浮き上がりを阻止するとともに前記外容器の底と内容器の底で前記ラベルを保持する構造とするので、被内容物の特徴に応じてラベルを選択して写真や印刷物のような非接着性の加飾用ラベルや遮光性能や各種バリア性能を有する機能ラベルを組み合わせる事によって、あらゆる被収納物に対応出来る容器となり、意匠性及び機能性に優れた容器を提供する事が出来る。
【００１１】
また、前記内容器及び前記外容器とにそれぞれ前記第１スタック棚と前記第２スタック棚を設けることにより、ラベルサンドカップを構成する前の前記内容器単体同士と前記外容器単体同士のスタッキングをしたり、二重容器となったラベルサンドカップ同士をスタッキングしたりする事を可能にした。
【発明を実施するための最良の形態】
【００１２】
図１乃至図３において、ラベルサンドカップ４は、上端面が開放している合成樹脂性の有底容器であって、上端面が開放しているポリプロピレンやポリスチレン等の合成樹脂で成形した内容器１と、片面若しくは両面に印刷されたラベル３と、上端面が開放しており前記内容器外径より内径が大きくポリプロピレンやポリスチレン等の合成樹脂で成形した外容器２からなり、前記内容器１と前記外容器２とを溶着或いは嵌合によって二重構造とした二重容器である。前記内容器１と前記外容器２の隙間には前記ラベル３を挟み、前記内容器１の底１ａに外容器側に突出した脚１ｂを設けて前記脚１ｂでラベル３の浮き上がりを阻止させるとともに前記外容器２の底２ａと内容器の底１ａで前記ラベル３を保持させている。
【００１３】
図６において、前記内容器１は上端面が開放している合成樹脂性の有底容器であり、底面の外面には突出した前記脚１ｂを設け、前記脚１ｂはループ状でなくても良く、ポリプロピレンやポリスチレン等の合成樹脂で成形している。また、図７において、前記外容器４は、前記内容器１と同様に上端面が開放している合成樹脂性の有底容器であり、ポリプロピレンやポリスチレン等の合成樹脂で成形しており、前記内容器１との間に挟んで設けている前記ラベルのデザインを見せる為に透明、半透明或いは透光性を持たせた原料を使用する事によって意匠性や装飾性を優れさせる事が可能である。
【００１４】
前記ラベル３は、被収納物の特徴に合わせ変更する事が可能であり、好みの意匠に合わせ
て写真や印刷物若しくはイラストラベル等の非接着性の加飾用ラベルを挟み、外側のデザ
インと内側のデザインを異ならせた容器にする事も可能である。また、ラベルサンドカッ
プ４の外面に凹凸のある形状であっても前記内容器１と前記外容器２との間に前記ラベル
３を挟んで設ける為、外面に凹凸があっても装着する事が可能である。また、内容器２へ
の被収納物が光を嫌う場合やバリア性能が必要な被収納物には、遮光性能や各種バリア性
能等を有する機能ラベルを用いて、容器全面に前記ラベル３を覆う事が可能であり、前記
ラベル３の組み合わせによって、さまざまな効果をもたらす容器を提供する事が可能とな
る。なお、前記ラベル３の印刷は、いわゆるプリント以外に他素材を貼りつけたり穴模様
であったりしても良い。
【００１５】
図４及び図５において、サンドラベルカップ４をスタッキングした状態の詳細図である。前記内容器１の底に第１スタック棚５ａを設け、前記第１スタック棚５ａと外容器３の脚２ｂが重なる事によって、スタッキングを可能にした。また、内容器１の前記第１スタック棚５ａと内容器１の脚１ｂとを重ね合わせる事が可能であり、内容器１同士をスタッキングする事が可能であり、外容器２同士も同様にスタッキングする事が出来る。これによりラベルサンドカップを構成する前の前記内容器１の単体または外容器２単体での保管や輸送及び二重容器となったラベルサンドカップ４同士をスタッキングする事が出来る為、梱包形態を小さくすることが可能であり、輸送コストの削減が可能である。
【産業上の利用可能性】
【００１６】
本発明品は、輸送時に起きる容器同士の擦れでの印刷を傷付ける事もなく見た目が良い容器となる。また、本来なら食品容器には採用できない原料等も食品に接触しない為、外容器２なら使用する事が可能となり、加飾性、意匠性が高い今までにない容器を提供する事が可能となる。さらに、前記内容器１の外面側や前記外容器２の外面側若しくは内面側にも印刷する事によりラベル３と組み合わせるので、意匠性や装飾性及びバリア性を向上させる事が可能である。
【図面の簡単な説明】
【００１７】
【図１】本発明品の断面図
【図２】図１の詳細図Ａ
【図３】図１の詳細図Ｂ
【図４】本発明品をスタッキングした状態の断面図
【図５】図４の詳細図Ｃ
【図６】内容器の断面図
【図７】外容器の断面図
【符号の説明】
【００１８】
１    内容器
１ａ  底
１ｂ  脚
２    外容器
２ａ  底
２ｂ  脚
３    ラベル
４    ラベルサンドカップ
５ａ  第１スタック棚
５ｂ  第２スタック棚
【図１】
2006062751.tif 000003
【図２】
2006062751.tif 000004
【図３】
2006062751.tif 000005
【図４】
2006062751.tif 000006
【図５】
2006062751.tif 000007
【図６】
2006062751.tif 000008
【図７】
2006062751.tif 000009